(57)【要約】【課題】底板への側板のロック及びロック解除を容易かつ確実に行うと共に、外部からの操作を防止する。【解決手段】短手側板３２を底板２３にロックするロック機構５１を設ける。ロック機構は、短手側板３２の内面側に形成された摺動凹部５４と、摺動凹部５４内を短手側板３２の外面側に突出することなく摺動可能なロック部材５３とを有する。ロック部材５３は摺動凹部５４内を上下動することにより下部のロック部５２が底板の係合凹部８３と係合または離脱する。短手側板３２を底板２３上に起立させた状態にて、ロック部材５３を下方へスライドさせるとロック部５２を突出させて底板２３のロック凹部に係合させ、短手側板３２を底板２３へロックさせる。【選択図】  図５
2006103694.tif 000002
【特許請求の範囲】
【請求項１】
矩形状の底板と、該底板の周囲に沿って立設される側板と、これら側板の上端が連結される矩形枠状の上枠とを有し、互いに対向する一対の側板が前記上枠に対して回動可能に連結されてなる合成樹脂製の折り畳み式コンテナであって、
前記一対の側板を前記底板へロックすることにより前記側板の回動を禁止するロック機構を備え、
該ロック機構は、
前記一対の側板の内面側に形成された摺動凹部と、
該摺動凹部内において前記底板とのロック位置と非ロック位置とを選択的に採るように摺動可能であって外部から摺動操作できないように保持されているロック部材と、
前記底板に設けられていてロック位置で底板に突出する前記ロック部材を係合させるロック係合部とを備えている
ことを特徴とする折り畳み式コンテナ。
【請求項２】
前記ロック部材と摺動凹部との一方に係止爪を設け、他方に該係止爪に係合可能な係止段部を備えていて、前記ロック部材の摺動によるロック位置と非ロック位置とで前記係止爪と係止段部が互いに係止され、前記ロック部材に設けられた前記係止爪または係止段部は互いに係止する前記係止段部または係止爪との係止を解除すべく弾性変形可能とした請求項１に記載の折り畳み式コンテナ。
【請求項３】
前記ロック部材には、係止爪と係止段部の係合を解除させるための操作片を備えている請求項２に記載の折り畳み式コンテナ。
【請求項４】
前記ロック部材の下端部にはテーパ部を形成し、前記底板のロック係合部には前記テーパ部に沿ったテーパ係合部を備えていて、前記一対の側板のいずれかを折り畳み状態から回動させて前記テーパ部を底板のテーパ係合部に押しつけて乗り越えさせることで、ロック位置に保持するようにした請求項１乃至３のいずれかに記載の折り畳み式コンテナ。
【請求項５】
前記ロック部材は、その内側にロック部材を摺動操作させるための把持凹部が形成されている請求項１乃至４のいずれかに記載の折り畳み式コンテナ。
【発明の詳細な説明】
【技術分野】
【０００１】
本発明は、内部に各種の物品が収納可能な折り畳み式コンテナに関する。
【背景技術】
【０００２】
従来より、容器の内部に各種の物品が収納可能な折り畳み式コンテナが提案されている。この種の折り畳み式コンテナは、上部の上枠に回動可能に連結された側板を有し、上枠に対して側板を回動させることにより折り畳まれる構造となっている。
この折り畳み式コンテナには、上枠に対して回動可能に連結された側板を底板にロックして回動を禁止し、積み重ねた他のコンテナあるいは蓋によって上部開口部分が塞がれた状態にて、積層状態のコンテナの側面を回動させて収納物を取り出すことができない構造としたものがある。
【０００３】
そして、この側板を底板にロックするロック機構としては、図１０に示すように、内側から操作可能なロック部材１を側板２の下端に設け、このロック部材１を側板２の内面側から下方へスライドさせて側板２の底部の穴に係合させると共にロック部材１のロック部５を底板３の通孔４へ係合させるものが知られている（例えば、特許文献１参照）。
また、このロック機構は、ロック部材１を上方へ引き上げてロックを解除した際に、ロック部材１の上端が側板２の孔を通して外側へ突出させ、ロックが解除されている状態を外部から目視確認できるようになっている。
【特許文献１】特開平１０−２９６３２号公報
【発明の開示】
【発明が解決しようとする課題】
【０００４】
ところで、上記のロック機構は、非ロック時にロック部材１の上端が側板２の外面側へ突出する構造であり、ロック時には底板３に形成された貫通孔からなる通孔４へロック部材１のロック部５を係合させる構造であるため、ロック部材１の上端を上方から押し下げたり、あるいは通孔４に係合しているロック部５を底板３の下方から押し上げることにより、ロック部材１を外部から勝手に操作して側板２の底板３へのロックとロック解除ができてしまう欠点があった。この場合、ロック解除された側板２を内側に回動させることで内容部を取り出すことが可能になり、防犯上問題があった。
しかも、ロック部材１を引き上げすぎると、ロック部材１の下端部が通孔４及び側板２の穴から外れてしまい、ロック部材１が脱落するという不具合が生じる恐れもあった。
【０００５】
この発明は、上記事情に鑑みてなされたもので、底板への側板のロック及びロック解除を確実に行うと共に外部から操作できないようにした折り畳み式コンテナを提供することを目的としている。
【課題を解決するための手段】
【０００６】
上記目的を達成するために、本発明の折り畳み式コンテナは、矩形状の底板と、該底板の周囲に沿って立設される側板と、これら側板の上端が連結される矩形枠状の上枠とを有し、互いに対向する一対の側板が上枠に対して回動可能に連結されてなる合成樹脂製の折り畳み式コンテナであって、一対の側板を底板へロックすることにより側板の回動を禁止するロック機構を備え、このロック機構は、一対の側板の内面側に形成された摺動凹部と、摺動凹部内において底板とのロック位置と非ロック位置とを選択的に採るように摺動可能であって外部から摺動操作できないように保持されているロック部材と、底板に設けられていてロック位置で底板に突出するロック部材を係合させるロック係合部とを備えている
ことを特徴とする。
本発明によれば、底板に側板をロックするロック部材を、側板の内面側の摺動凹部内で摺動可能に保持した構造であり、ロック時にはロック部材のロック部を底板に形成したロック係合部に係合させる構造であるので、ロック部材は摺動凹部と底板の内側に保持され、コンテナ外部からの操作可能な露出部分をなくすことができる。これにより、外部からのロック部材の操作を確実に防止して、防犯上の安全性を大幅に高めることができる。
【発明の効果】
【０００７】
本発明の折り畳み式コンテナによれば、底板に一対の側板をロックするロック部材を、側板の内側の摺動凹部内で上記側板の外側へ突出させることなく摺動可能に保持しており、しかも、ロック時にはロック部材を底板のロック係合部に係合させる構造であるので、ロック状態と非ロック状態のいずれであっても操作のためにロック部材が外部へ露出するのを防ぐことができる。これにより、外部からのロック機構の操作を確実に防止することができ、防犯上の安全性を大幅に高めることができる。
【発明を実施するための最良の形態】
【０００８】
本発明による折り畳み式コンテナは、ロック部材と摺動凹部との一方に係止爪を設け、他方に該係止爪に係合可能な係止段部を備えていて、ロック部材の摺動によるロック位置と非ロック位置とで係止爪と係止段部が互いに係止され、ロック部材に設けられた係止爪または係止段部は互いに係止する係止段部または係止爪との係止を解除すべく弾性変形可能とすることが好ましい。
本発明によれば、ロック位置と非ロック位置とで係止爪と係止段部が互いに係止することでロック部材を係止保持でき、しかも係止解除に際してはロック部に設けられた係止爪または係止段部を弾性変形して、摺動凹部に設けた係止段部または係止爪から係合を解除すればよい。
そのために、ロック部材に、係止爪と係止段部の係合を解除させるための操作片を備えさせてもよい。操作片を押圧することにより、極めて容易に係止爪と係止段部の係合を外して非ロック状態またはロック状態を解除することができ、操作性を向上させることができる。
【０００９】
また、ロック部材の下端部にはテーパ部を形成し、底板のロック係合部にはテーパ部に沿ったテーパ係合部を備えていて、一対の側板の少なくともいずれかを折り畳み状態から回動させてテーパ部を底板のテーパ係合部に押しつけて乗り越えさせることで、ロック位置に保持するようにしてもよい。
これにより、折り畳み状態の側板を内側から回動させて底板上へ起立させ組み立てる際に、側板を押しつけるだけで、底板のテーパ係合部にロック部材のテーパ部が当接してテーパに沿ってガイドされてロック部材がテーパ係合部を乗り越え、側面を底板に係合する状態または係合可能な状態に保持でき、組み立て作業の円滑化を図ることができる。
【００１０】
また、ロック部材は、その内側にロック部材を摺動操作させるための把持凹部が形成されていてもよく、把持凹部に指を入れて操作することでロック部材を摺動させることができ、ロック解除操作及びロック操作の容易化を図ることができる。
【実施例】
【００１１】
以下、本発明の実施例について図面を参照して説明する。
図１は実施例による折り畳み式コンテナの斜視図、図２は蓋を取り付けた折り畳み式コンテナの斜視図、図３はロック機構を短手側板の内面の摺動凹部に設けた状態を示すもので、（ａ）はロック状態、（ｂ）は非ロック状態の図、図４（ａ）、（ｂ）は図３の短手側板を外側から見た要部正面図、図５はロック機構の縦断面図であって、（ａ）はロック状態、（ｂ）は（ａ）のＡ部拡大図、（ｃ）は非ロック状態を示す断面図、図６はロック機構の構造を説明する短手側板の内側からみた分解斜視図、図７はロック部材を外側から見た斜視図、図８は折り畳み状態から短手側板を底板に向けて回動させる途中の断面図、（ｂ）は短手側板を底板に係合させたロック状態の断面図である。
図１に示すように、折り畳み式コンテナ２１は組み立てられた状態で上方が開口された箱形形状のケース２２として形成される。ケース２２は、合成樹脂製であって、矩形状をなす底板２３と、底板２３の周囲に立設される各一対の長手側板３１及び短手側板３２（側板）と、これら長手側板３１及び短手側板３２の上端が連結される矩形枠状の上枠２５とから構成されている。
【００１２】
各一対の長手側板３１及び短手側板３２はそれぞれ相対向されて配設され、長手側板３１に対して短手側板３２が直交するように設けられている。長手側板３１は、その高さ方向の中間部を中心として上分割板３３と下分割板３４とに水平方向に分割されており、これら上分割板３３及び下分割板３４は、上枠２５及び底板２３に対してそれぞれ内方側へ回動可能に連結されている。しかも、これら上分割板３３と下分割板３４とは、ヒンジ３５によって回動可能に連結されており、上分割板２６と下分割板２７とがケース２２の内方側へくの字状に折り畳めるようになっている。
一方、短手側板３２は全体が一枚の板状に形成され、その上端が上枠２５に対して連結部３６及び両側の支持部３７によって、ケース２２の内方へ回動可能に連結されている。
そして、ケース２２を折り畳むときには、ケース２２の内方に短手側板３２同士が同一面状となるまで回動させ、その後に長手側板３１をくの字に内側に折り畳む。また、ケース２２を組み立てるときには、折り畳み状態から長手側板３１を直立に起立させ、その後に短手側板３２を水平状態から外側に回動させて、その下端を底板２３に係合させることで、底板２３上に起立・保持させる。
なお、上枠２５は、その短手部分中央に内側へ凹む凹状の把持部３８を備え、また、各短手側板３２は、その下端側中央よりにロック確認窓３９を備えている。
【００１３】
そして、上記構造の折り畳み式コンテナ２１は上下方向に積み重ねが可能とされ、積み重ねることにより、上方側のコンテナ２１によって下方側のコンテナ２１の上部開口が閉塞され、内部の収納空間が密閉される。また、この折り畳み式コンテナ２１は、図２に示すように、上枠２５に蓋体４１が装着可能とされており、蓋体４１を装着することにより、内部の収納空間を密閉することもできる。
ここで、折り畳み式コンテナ２１には、その短手側板３２を底板２３にロックし、回動を禁止するロック機構を備えている。そして、このロック機構によって短手側板３２を底板２３にロックすることにより、短手側板３２が不用意に回動して密閉状態の収納空間が開放されるのを防止している。
【００１４】
次に、この短手側板３２を底板２３へロックするロック機構について説明する。
図３〜図５に示すように、ロック機構５１は、短手側板３２の下端における中央内面に設けられている。このロック機構５１は、下端部がロック部５２とされた合成樹脂製のロック部材５３を有しており、このロック部材５３が、短手側板３２の内面側に形成された摺動凹部５４内にて短手側板３２の外側に突出することなく上下方向へ摺動可能に保持されている。
図６及び図７にも示すように、ロック部材５３は、両側部から上方へ向かって延在する板状の一対の係止片５５を備えている。これら係止片５５の上端部には、上端部から側方外側へ突出する断面略直角三角形状の係止爪５６が形成されており、それぞれの係止爪５６は、先端側から後端側へ向かって外方へ傾斜するテーパ面５６ａが形成されている。また、係止片５５には、その先端近傍における内面から内側へ向かって延びて、例えばくの字に屈曲または湾曲する板状の操作片５７が一体に設けられている。これら操作片５７が上方側から押圧されると、その押圧力により係止片５５の先端部分の係止爪５６が弾性変形して内方へ湾曲される。
【００１５】
ロック部材５３には、その内面側に把持凹部６１が形成されており、この把持凹部６１の裏面側の平面部分は、例えば、赤色などに着色された表示面６２とされている。また、この表示面６２の下方側は、補強リブ６３で左右二つに分割された凹部６４とされている。
ロック部材５３は、高さ方向の略中央位置における両側部に、内面側へ突出する脱落防止用突起６５が形成され、係止片５５の両側部には側方へ突出するがたつき防止用突起６６が形成されている。また、ロック部材５３の下端のロック部５２には、内面側から外面側へ向かって次第に上方へ傾斜したテーパ部６７が形成されている（図５、６、７参照）。
【００１６】
ロック部材５３を上下方向へ摺動可能に保持する摺動凹部５４には、両側面７１の上端近傍に係止段部７２が形成されている。これら係止段部７２は、その下端側が、下方へ向かって次第に外方へ傾斜するテーパ面７２ａとされている。摺動凹部５４の下方側には、内面側に保持板部７３が形成され、この保持板部７３と短手側板３２の外面とで開口部７４を形成する。摺動凹部５４の下端に位置する開口部７４からロック部材５３が挿入可能とされている。
そして、この開口部７４からロック部材５３を、脱落防止用突起６５が保持板部７３の上方側へ配置されるまで挿入することにより、ロック部材５３が摺動凹部５４内にて上下方向へ摺動可能に保持される。摺動凹部５４内に装着したロック部材５３が上下方向へ摺動されることにより、ロック部材５３のロック部５２が開口部７４から下方に出没する。
【００１７】
このように摺動凹部５４へ保持させたロック部材５３は、脱落防止用突起６５が保持板部７３に係合することにより、下方への移動が規制され、また、係止片５５が摺動凹部５４の上端面に当接して上方への移動が規制され、摺動凹部５４からの脱落が防止される。そのため、ロック部材５３は摺動凹部５４内に保持され、短手側板３２の外側には殆ど露出せず、外部から操作できない。
また、ロック部材５３の両側部に形成されたがたつき防止用突起６６が摺動凹部５４の両側面７１に当接することにより、ロック部材５３の摺動時におけるがたつきが防止される。
そして、ロック機構５１では、ロック部材５３が上方へ引き上げられて係止爪５６が係止段部７２の上面に係合され、ロック部５２が開口部７４より下方に突出しない状態が非ロック状態とされ、また、ロック部材５３が下方へ押し下げられて係止爪５６が係止段部７２の下面に係合され、ロック部５２のテーパ部６７が開口部７４から下方に突出した状態がロック状態とされる。そのため、ロック部材５３は摺動凹部５４内でロック位置と非ロック位置との間を往復摺動可能とされている。
【００１８】
また、短手側板３２の中央下端には、開口部７４を介して摺動凹部５４と連通する係合凹所８１が形成されており、この係合凹所８１には、底板２３の短手部分の中央に形成された係合突部８２が側方から嵌合可能とされている。この係合突部８２の内面では、その上部側にロック凹部８３（ロック係合部）が形成されている(図５（ａ）参照）。
底板２３のロック凹部８３は、図５（ｂ）に示すように断面略Ｕ字状またはコの字状を呈しており、底板８３ａの外側係止部８３ｂと内側に形成した略テーパ状のテーパ係合部８３ｃとでロック部材５３の下端をなすロック部５２を挟持して係止することになる。この場合、ロック部５２のテーパ部６７とロック凹部８３のテーパ係合部８３ｃとは、図８（ａ）に示すように、短手側板３２がコンテナ２１の内側に位置する状態でテーパ面同士が当接可能であり、ロック部５２がテーパ係合部８３ｃのテーパ面を乗り越えることで係合状態になる（図８（ｂ）参照）。
【００１９】
次に、上記のような構造のロック機構５１を備えた折り畳み式コンテナ２１における短手側板３２の底板２３へのロック及びその解除方法について説明する。
まず、短手側板３２を底板２３へロックする方法について説明する。
短手側板３２を底板２３へロックするには、まず、コンテナ２１の折り畳み状態から長手側板３１をヒンジ部３５における折り曲げ状態から垂直方向に起立させる。次に、短手側板３２をコンテナ２１の内側に水平に曲げられた状態から、上枠２５に対して連結部３６及び両側の支持部３７によって下方外側に回動させ起立させる。その際、ロック機構５１では、図３（ｂ）に示すように、ロック部材５３は摺動凹部５４の係止段部７１の上面に係止爪５６が係止状態であり、短手側板３２は底板２３のロック凹部８３の外側係止部８３ａに当接して停止する（図５（ｃ）参照）。
これにより、短手側板３２の係合凹所８１に底板２３の係合突部８２が嵌め込まれ、短手側板３２の下端部が底板２３に保持される。これにより、短手側板３２側の摺動凹部５４と底板２３側のロック凹部８３とが開口部７４を介して連通状態とされる。
【００２０】
この状態にて、非ロック状態のロック部材５３の操作片５７を下方へ押圧する。すると、操作片５７への押圧力により、係止片５５の先端部分が弾性変形して内方へ湾曲され、係止爪５６が係止段部７２から外れ、非ロック状態の係止状態が解除される。そして、ロック部材５３を摺動凹部５４内で下方へスライドさせる。
すると、ロック部材５３のロック部５２が開口部７４から下方に突出して底板２３側のロック凹部８３内へ入り込み、短手側板３２のロック部５２が底板２３のロック凹部８３の外側係止部８３ｂとテーパ係合部８３ｃとの間に挿入されてロックされる（図５（ａ）、（ｂ）参照）。
そして、操作片５７を離すと、係止爪５６が係止段部７２の下方側へ入り込んで係合する。これにより、ロック部材５３は、係止爪５６の係止段部７２への係止力により上方への引き上げが規制されたロック状態となる（図３（ａ）参照）。
このとき、ロック部材５３の着色された表示面６２が、短手側板３２のロック確認窓３９を臨む位置にある（図４（ａ）参照）。これにより、ロック確認窓３９を目視することにより、側板３２が底板２３にロックされていることを確認できる。この状態で、ロック部材５３は短手側板３２の摺動凹部５４と底板２３のロック凹部８３で囲われ、外部から解除操作できない。
【００２１】
次に、底板２３に対する短手側板３２のロックを解除する方法について説明する。
まず、ロック状態のロック部材５３の把持凹部６１に、ケース２２の内側から指を入れ、ロック部材５３を引き上げる。すると、係止爪５６のテーパ面５６ａが係止段部７２の下面７２ａに対して内側に弾性変形してスライドすることにより、係止片５５の先端部分が内方へ湾曲され、係止爪５６が係止段部７２から外れてロック状態が解除される。
これにより、ロック部材５３が上方へスライドし、下端のロック部５２がロック凹部８３から引き抜かれ、ロック状態が解除される（図５（ｃ）参照）。
さらにロック部材５３が引き上げられて係止爪５６が係止段部７２の上側で弾性復帰すると、係止片５５が復元して係止爪５６が係止段部７２の上面に入り込に係合する。これにより、係止爪５６が係止段部７２に係止してロック部材５３の下方への移動が規制され、非ロック状態に保持される（図３（ｂ）参照）。
【００２２】
また、このとき、ロック部材５３の凹部６４が、短手側板３２のロック確認窓３９を臨む位置にくる（図４（ｂ）参照）。これにより、このロック確認窓３９を目視することにより、短手側板３２が底板２３にロックされていないことを確認できる。この状態で、短手側板３２をケース２２の内方へ押し込むと、短手側板３２の係合凹所８１から底板２３の係合突部８２が外れ、短手側板３２が上枠２５との連結箇所を中心として回動される。
【００２３】
ところで、コンテナ２１の折り畳み状態から短手側板３２を起立状態にするため、上枠２５に対して連結部３６及び両側の支持部３７回りに短手側板３２を外側に回動させて起立させる際、図８（ａ）に示すように、例えばロック部材５３の係止爪５６が摺動凹部５４の係止段部７２の上面から外れていてロック部５２が開口部７４から下方に突出している場合、ロック部材５３のロック部５２が底板２３のテーパ係合部８２ｃに干渉してしまう。
しかし、本実施例では、ロック部材５３の下端のロック部５２に、内面側から外面側へ向かって次第に上方へ傾斜したテーパ部６７が形成されているので、このテーパ部６７がロック凹部８３のテーパ係合部８２ｃに当接することによりロック部材５３が摺動凹部５４に沿って上方に押し戻される。そして、テーパ部６７はテーパ係合部８２ｃを乗り越えて、その後に係止片５５の係止爪５６が係止段部７２に当接したことによる弾性変形の復元力でテーパ部６７を下方に押動する。これによって、図８（ｂ）に示すように、ロック部材５３のロック部５２は底板２３のロック凹部８３内に嵌合され、ロック状態になる。
或いは、テーパ部６７がテーパ係合部８２ｃを乗り越える際に、係止片５５の係止爪５６が係止段部７２の上面に係合状態になったとしても、ロック部材５３を含む短手側板３２を底板２３のロック凹部８３の外側係止部８３ｂに当接させる係合位置まで回動できる。この状態から、操作片５７を押し下げる操作をすれば、ロック部材５３が降下してロック部５２はロック凹部８３にロックされることになる。
【００２４】
以上、説明したように、本実施例による折り畳み式コンテナ２１によれば、底板２３に短手側板３２をロックするロック部材５３を、短手側板３２の内面側の摺動凹部５４内にて短手側板３２の外側へ突出させることなく摺動可能に保持でき、しかも、ロック部材５３のロック部５２を底板２３に形成したロック凹部８３に係合させる構造であるので、ロック部材５３の外面側への露出をなくすことができる。これにより、外部からのロック機構５１の操作を確実に防止でき、防犯上の安全性を大幅に高めることができる。
また、操作片５７を押圧することにより、極めて容易に係止爪５６を係止段部７２から外して非ロック状態を解除することができ、操作性を向上させることができる。
さらに、ロック部材５３を摺動凹部５４内へ押し込む押圧力を生じさせる
テーパ部６７をロック部材５３の下端部に形成し、短手側板３２の起立用の回動時に底板２３のテーパ係合部８３ｃと当接して乗り越えるようにしたので、短手側板３２を内側から回動させて底板２３上へ起立させる際に、底板２３とロック部材５３との干渉による組み立て作業の不具合をなくすことができ、組み立て作業の円滑化を図ることができる。
また、ロック部材５３の内面側に把持凹部６１を形成したので、把持凹部６１に指を入れて容易にロック部材５３をスライドさせることができ、ロック解除操作及びロック操作の容易化を図ることができる。
【００２５】
なお、ロック部材５２の係止片５５に係止爪５６を設け、摺動凹部５４の両側面７１に係止段部７２を設けて相互に係合させてロック位置と非ロック位置とでロック部材５２を係止させるようにしたが、これとは逆に図９に示すようにロック部材５２の係止片５５に係止段部７２を設け、摺動凹部５４の両側面７１に係止爪５６を設けて相互に係合させてロック位置と非ロック位置とでロック部材５２を係止させるようにしてもよい。
この場合、ロック部材５３は係止爪５６の略直角三角形形状のために、ロック位置では操作片５７を使用しないと係止段部７２と係止爪５６との係止を解除できず（図９（ａ）参照）、非ロック位置ではロック部材５２を下方に押動させるだけで係止片５５を弾性変形させて係止段部７２と係止爪５６との係止を解除できることになる（図９（ｂ）参照）。そのため、ロック状態の係合が不用意に解除するのをより確実に防止できる。
また、実施例によるコンテナ２１は直方体形状に形成したが、立方体形状等任意の形状を採用できることはいうまでもない。更に本発明による底板と係合可能な側板は短手側板３２に限定されることなく、長手側板３１であってもよい。
【図面の簡単な説明】
【００２６】
【図１】本発明の実施例による蓋のない折り畳み式コンテナの斜視図である。
【図２】蓋を取り付けた折り畳み式コンテナの斜視図である。
【図３】ロック機構を短手側板の内面の摺動凹部に設けた状態を示すもので、（ａ）はロック状態、（ｂ）は非ロック状態の図である。
【図４】（ａ）、（ｂ）は図３の短手側板を外側から見た要部正面図で、（ａ）はロック状態、（ｂ）は非ロック状態の図である。
【図５】ロック機構の縦断面図であって、（ａ）はロック状態、（ｂ）は図（ａ）のＡ部拡大図、（ｃ）は非ロック状態を示す図である。
【図６】ロック機構の構造を説明する短手側板の内側からみた分解斜視図である。
【図７】ロック部材を外側から見た斜視図である。
【図８】折り畳み状態から短手側板を底板に向けて回動させる途中の断面図で、（ａ）は短手側板の回動途中の非ロック状態、（ｂ）は短手側板を底板に係合させたロック状態の図である。
【図９】変形例によるロック機構の係止爪と係止段部との位置関係を示す図であり、（ａ）はロック状態、（ｂ）は非ロック状態を示す図である。
【図１０】従来のコンテナのロック機構を示すロック機構部分の断面図である。
【符号の説明】
【００２７】
２１  折り畳み式コンテナ
２３  底板（底部）
２５  上枠
３１  長手側板（側板）
３２  短手側板（側板）
５１  ロック機構
５２  ロック部
５３  ロック部材
５４  摺動凹部
５５  係止片
５６  係止爪
５７  操作片
６１  把持凹部
６７  テーパ部
７２  係止段部
８３  ロック凹部（ロック係合部）
８３ｂ  外側係止部
８３ｃ  テーパ係合部
【図１】
2006103694.tif 000003
【図２】
2006103694.tif 000004
【図３】
2006103694.tif 000005
【図４】
2006103694.tif 000006
【図５】
2006103694.tif 000007
【図６】
2006103694.tif 000008
【図７】
2006103694.tif 000009
【図８】
2006103694.tif 000010
【図９】
2006103694.tif 000011
【図１０】
2006103694.tif 000012